(57)【特許請求の範囲】
【請求項１】
上ケースと下ケースを接合させて構成されたケースを備えて成る携帯型情報読取装置において、
前記下ケースの周壁部の接合端面部に突設された突条部と、
前記上ケースの周壁部の接合端面部に前記突条部が嵌合するように設けられた溝部と、
前記下ケースの周壁部の接合端部の外側の縁部に斜めにカットされるように設けられた斜面部とを備えたことを特徴とする携帯型情報読取装置。
【請求項２】
前記上ケースの周壁部の接合端部の外側の縁部に斜めにカットされるように設けられた斜面部を備えたことを特徴とする請求項１記載の携帯型情報読取装置。
【請求項３】
前記下ケースの周壁部の外側側面に設けられ、上端が前記斜面部に連続する排水用溝を備えたことを特徴とする請求項１または２記載の携帯型情報読取装置。
【発明の詳細な説明】
【０００１】
【発明の属する技術分野】
本発明は、例えばバーコード等の情報を読み取る機能を備えた携帯型情報読取装置に関する。
【０００２】
【従来の技術】
この種の携帯型情報読取装置は、容器状をなす上ケースと容器状をなす下ケースを接合させて構成された箱状のケースを備えている。このケースにおける上ケースと下ケースの接合部分の具体的構成の一例を、図５に示す。この図５に示すように、下ケース１の周壁部２の接合端面部３には、突条部３ａが上方に向けて突設されている。上ケース４の周壁部５の接合端面部６には、上記突条部３ａが嵌合する溝部６ａが設けられている。そして、下ケース１の突条部３ａを上ケース４の溝部６ａに嵌合することにより、上ケース４と下ケース１を接合している。これにより、上ケース４と下ケース１の接合部分に、いわゆるダブル溝が形成される。
【０００３】
【発明が解決しようとする課題】
上記従来構成において、ケース（上ケース４）の上面に水がかかると、その水はと下ケース１の接合部分に付着することがある。この場合、図５に示すように、水７は、上ケース４の周壁部５の接合端面部６と、下ケース１の周壁部２の接合端面部３とが当接する接合面に沿って付着して溜まるようになる。すると、この溜まった水７は、やがて、上記接合端面部３と上記接合端面部６の接合面の隙間、並びに、突条部３ａと溝部６ａとの間の隙間を通って、ケースの内部に浸入することがあった。
【０００４】
そこで、本発明の目的は、上ケースと下ケースの接合部分から水が内部に浸入することを防止できる携帯型情報読取装置を提供することにある。
【０００５】
【課題を解決するための手段】
請求項１の発明によれば、下ケースの周壁部の接合端面部に突条部を突設すると共に、上ケースの周壁部の接合端面部に突条部が嵌合するように溝部を設け、そして、下ケースの周壁部の接合端部の外側の縁部に斜めにカットされるように斜面部を設けたので、上ケースの上面に水がかかっても、その水は、斜面部に案内されて下方へ流れ落ちるから、上ケースと下ケースの接合面に水が溜まることがなくなる。従って、上ケースと下ケースの接合部分から水が内部に浸入することを防止できる。
【０００６】
請求項２の発明によれば、上ケースの周壁部の接合端部の外側の縁部に斜めにカットされるように斜面部を設けたので、上ケースの上面にかかった水は、上ケース及び下ケースの斜面部に案内されて下方へ流れ落ちるから、上ケースと下ケースの接合面に溜まることがなくなる。また、携帯型情報読取装置を上下逆に使用して、その下ケースの上面に水がかかったような場合も、上ケースと下ケースの接合面に水が溜まることがなくなる。
【０００７】
請求項３の発明によれば、下ケースの周壁部の外側側面に、上端が斜面部に連続する排水用溝を設けたので、上ケースの上面にかかった水は、斜面部及び排水用溝に案内されて下方へより一層流れ落ち易くなる。このため、上ケースと下ケースの接合面に水がより一層溜まらなくなる。
【０００８】
【発明の実施の形態】
以下、本発明を携帯型バーコード読取装置に適用した第１の実施例について、図１及び図２を参照しながら説明する。図２（ａ）、（ｂ）、（ｃ）は、本実施例の携帯型バーコード読取装置１１の全体構成を示す三面図である。この図２に示すように、携帯型バーコード読取装置１１のケース１２の形状は、薄形の矩形箱状である。このケース１２の上面には、例えばＬＣＤからなるディスプレイ１３と、各種の操作キーからなるキー部１４と、読取動作の正常完了を示すためのＬＥＤ１５とが配設されている。
【０００９】
上記ケース１２の下面における図２（ａ）及び（ｂ）中の左端部には、読取口（図示しない）が設けられている。また、ケース１２の内部には、照明用ＬＥＤ、ＣＣＤセンサ、レンズ、ミラー、制御回路、電池（いずれも図示しない）等が配設されている。上記照明用ＬＥＤから発光された照明光は、レンズ及び読取口を介して外部のバーコードへ照射される。そして、バーコードで反射した反射光は、読取口及びレンズ等を介してＣＣＤセンサにより受光されるように構成されている。
【００１０】
また、上記制御回路は、上記携帯型バーコード読取装置１１の運転動作を制御するものであり、ＣＣＤセンサにより受光された受光信号を信号処理すると共に、読取処理（デコード処理）を実行する機能を備えている。この場合、読取結果等のデータは、制御回路の内部のメモリに記憶されると共に、上記携帯型バーコード読取装置１１が図示しないホスト装置（パソコン等）に接続ケーブル等を介して接続されたときに、上記ホスト装置へ送信されるように構成されている。
【００１１】
尚、上記読取結果等のデータを、携帯型バーコード読取装置１１からホスト装置へ無線通信手段（ＰＨＳや携帯電話、光通信等）によって送信するように構成しても良い。この場合、無線通信手段をケース１２内に配設しても良いし、外付けするように構成しても良い。
【００１２】
さて、上記ケース１２は、下面が開口した浅底の矩形容器状をなす上ケース１６と、上面が開口した浅底の矩形容器状をなす下ケース１７を接合させて構成されている。ここで、上ケース１６と下ケース１７の接合部分の具体的構成を、図１に示す。この図１に示すように、下ケース１７の周壁部２０の接合端面部２１には、突条部２１ａが上方に向けて突設されている。この突条部２１ａは、下ケース１７の周壁部２０の全周にわたって形成されている。
【００１３】
また、上ケース１６の周壁部１８の接合端面部１９には、上記突条部２１ａが嵌合する溝部１９ａが設けられている。この溝部１９ａは、上ケース１６の周壁部１８の全周にわたって形成されている。上記構成の場合、下ケース１７の突条部２１ａを上ケース１６の溝部１９ａに嵌合することにより、上ケース１６と下ケース１７を接合している。これにより、上ケース１６と下ケース１７の接合部分が、いわゆるダブル溝を構成している。尚、上ケース１６と下ケース１７は、例えばねじ止めにより固着されている。
【００１４】
ここで、図１に示すように、下ケース１７の周壁部２０の接合端部である接合端面部２１の外側の縁部には、斜面部２１ｂが斜めにカットされるように設けられている。この斜面部２１ｂは、図２に示すように、下ケース１７の周壁部２０の全周にわたって形成されている。また、斜面部２１ｂと上ケース１６の接合端面部１９とがなす角度α（即ち、カットの角度）は、例えば４５度となるように構成されている。尚、上記角度αを、例えば４５度よりも大きく設定しても良いし、４５度よりも小さく設定しても良く、実験等を実行することにより、水が流れ易くなる適切な角度に設定すれば良い。
【００１５】
このような構成の本実施例においては、下ケース１７の周壁部２０の接合端面部２１に突条部２１ａを突設すると共に、上ケース１６の周壁部１８の接合端面部１９に溝部１９ａを設け、そして、下ケース１７の周壁部２０の接合端部の外側の縁部に、斜面部２１ｂを設けた。この構成の場合、上ケース１６の上面に水がかかると、その水は、下ケース１７の斜面部２１ａに案内されて下方へ流れ落ちるから、従来構成（図５参照）とは異なり、上ケース１６と下ケース１７の接合面に水が付着して溜まることがなくなる。従って、上ケース１６と下ケース１７の接合部分から水が内部に浸入することを確実に防止できる。
【００１６】
尚、上記実施例では、下ケース１７の斜面部２１ｂを、下ケース１７の周壁部２０の接合端面部２１における突条部２１ａの根元部から斜めに形成するように構成したが、これに代えて、上記接合端面部２１における突条部２１ａの根元部から少し外方へずらした位置から斜めに形成するように構成しても良い。
【００１７】
また、上記実施例では、下ケース１７に突条部２１ａを設けると共に、上ケース１６に溝部１９ａを設けるように構成したが、これに限られるものではなく、下ケースに溝部を設けると共に、上ケースに突条部１９ａを設けるように構成してもよい。そして、この構成の場合も、下ケースの接合端面部に、第１の実施例と同様にして、斜面部を設ける構成とすれば良い。更に、上記実施例においては、下ケース１７の斜面部２１ｂを平面形状としたが、これに代えて、丸みを帯びた形状（曲面形状）としても良い。
【００１８】
更にまた、上記実施例では、読取口をケース１１（下ケース１７）の下面部の一端部に配設するように構成したが、これに限られるものではなく、読取口をケース１１の側面部（例えば図２（ａ）及び（ｂ）中の左端側の側面部）に配設するように構成しても良い。この構成の場合には、読取口を、上ケース１６と下ケース１７の両方の側壁部にまたがるように配設することになるから、読取口と両ケース１６、１７の側壁部との間をゴムパッキング等でシールするように構成することが好ましい。
【００１９】
図３は、本発明の第２の実施例を示す図である。尚、第１の実施例と同一部分には、同一符号を付している。この第２の実施例では、上ケース１６の周壁部１８の接合端部である接合端面部１９の外側の縁部に、斜面部１９ｂを斜めにカットするように設けた。この斜面部１９ｂのカット角度（斜面部１９ｂと下ケース１７の接合端面部２１とがなす角度）は、第１の実施例の下ケース１７の斜面部２１ｂのカット角度と同じである。尚、上記２つの斜面部１９ｂ、２１ｂのカット角度を異ならせるように構成しても良い。
【００２０】
そして、上述した以外の第２の実施例の構成は、第１の実施例の構成と同じ構成となっている。従って、第２の実施例においても、第１の実施例とほぼ同じ作用効果を得ることができる。特に、第２の実施例では、上ケース１６の周壁部１８の接合端部の外側の縁部に斜面部１９ｂを設けたので、上ケース１６の上面にかかった水は、上ケース１６及び下ケース１７の各斜面部１９ｂ及び２１ｂに案内されて下方へ流れ落ちるから、上ケース１６と下ケース１７の接合面に水が溜まることがなくなる。また、携帯型バーコード読取装置１を上下逆の形態で使用して、その下ケース１７の上面に水がかかったような場合も、上述したようにして水が流れ落ちるから、水が上ケース１６と下ケース１７の接合面に溜まることがなくなる。
【００２１】
図４は、本発明の第３の実施例を示す図である。尚、第１の実施例と同一部分には、同一符号を付している。この第３の実施例では、図４（ａ）、（ｂ）に示すように、下ケース１７の周壁部２０の外側側面２０ａに、上端が斜面部２１に連続する排水用溝２０ｂを複数個設けるように構成した。本実施例の場合、下ケース１７の周壁部２０の長手方向の外側側面２０ａには、図示するように、例えば３個の排水用溝２０ｂを設け、短手方向の外側側面２０ａには、図示しないが、例えば２個の排水用溝２０ｂを設けた。これ以外の第３の実施例の構成は、第１の実施例の構成と同じ構成となっている。
【００２２】
従って、第３の実施例においても、第１の実施例とほぼ同じ作用効果を得ることができる。特に、第３の実施例では、下ケース１７の周壁部２０の外側側面２０ａに、上端が斜面部２１ａに連続する排水用溝２０ｂを設けたので、上ケース１６の上面にかかった水は、斜面部２１ａ及び排水用溝２０ｂに案内されて下方へ流れ落ち易くなる。従って、上ケース１６と下ケース１７の接合面により一層溜まらなくなる。
【００２３】
尚、上記各実施例では、本発明を、携帯型バーコード読取装置１１の全体の形状が真っ直ぐな矩形箱状のものに適用したが、これに限られるものではなく、例えば、携帯型バーコード読取装置の読取口が斜め下方に指向するように、携帯型バーコード読取装置の読取口側の端部部分（先端部分）を斜め下方に向けて折り曲げたような形状の構成に適用しても良い。
【００２４】
また、上記各実施例では、本発明を、情報としてバーコードを読み取る携帯型バーコード読取装置１１に適用したが、これに限られるものではなく、例えば２次元コード等を読み取る携帯型情報読取装置に適用しても良い。更にまた、上記各実施例において、上ケース１６及び下ケース１７の外側の表面に、撥水性を持たせるような処理を施すように構成しても良い。
【図面の簡単な説明】
【図１】本発明の第１の実施例を示すものであり、上ケースと下ケースの接合部分の縦断側面図
【図２】図（ａ）は携帯型バーコード読取装置の上面図、（ｂ）は携帯型バーコード読取装置の正面図、（ｃ）は携帯型バーコード読取装置の側面図
【図３】本発明の第２の実施例を示す図１相当図
【図４】本発明の第３の実施例を示すものであり、（ａ）は携帯型バーコード読取装置の正面図、（ｂ）は携帯型バーコード読取装置の部分下面図
【図５】従来構成を示す図１相当図
【符号の説明】
１１は携帯型バーコード読取装置（携帯型情報読取装置）、１２はケース、１３はディスプレイ、１６は上ケース、１７は下ケース、１８は周壁部、１９は接合端面部、１９ａは溝部、１９ｂは斜面部、２０は周壁部、２０ｂは排水用溝、２１は接合端面部、２１ａは突条部、２１ｂは斜面部を示す。
【図１】
0004140200.tif 000002
【図２】
0004140200.tif 000003
【図３】
0004140200.tif 000004
【図４】
0004140200.tif 000005
【図５】
0004140200.tif 000006